【事件の表示】
　平成　９年特許願第　７４６７２号「無線電話装置及び無線電話システム」拒絶査定不服審判事件〔平成１０年　９月２５日出願公開、特開平１０−２５７１８１〕について、次のとおり審決する。
【結　論】
　本件審判の請求は、成り立たない。
【理　由】
１．手続の経緯、本願発明
　
　本願は、平成９年３月１２日の出願であって、請求項１に係る発明（以下、「本願発明」という。）は、平成１３年４月１３日付け、及び平成１６年３月１２日付けの手続補正により補正された明細書及び図面の記載からみて、その特許請求の範囲の請求項１に記載された次の事項により特定されるものと認める。
　
　「【請求項１】　メッセージデータの送受信部と、メッセージデータのキー入力部と、メッセージデータの表示部と、メッセージデータを記憶するメッセージメモリと、前記の各部を制御する制御部とを有する無線電話装置が、無線回線を介して交換局及びメッセージサービスセンタに接続された無線電話システムにおいて、
　一人の発信者の無線電話装置で送信メッセージと該送信メッセージを出力する日時情報と呼び出し番号とを含む発信者情報を受信者の無線電話装置に送信し、該発信者情報を受信した受信者の無線電話装置では、該無線電話装置に備える時計部から出力される現在の日時情報と前記受信した日時情報とを、受信メッセージ日時判断部で比較し日時に到達したときには、受信メッセージ出力処理部がメッセージを受信していることを知らせる受信メッセージ通知表示を前記表示部に表示し、続いて前記キー入力部の操作で受信メッセージの表示を選択したとき、該表示部にメッセージを表示することを特徴とする無線電話システム。」
　
２．刊行物記載の発明
　
　これに対して、当審における拒絶の理由で引用された、本願出願前に頒布された特開平０６−１４１０４５号公報（平成６年５月２０日出願公開、以下、「刊行物１」という。）には、次のような記載がある。
　
イ）「【００２０】図１は、本発明の一実施例に係る移動通信網を介してショートメッセージ通信サービスを行うメッセージ通信システムの構成を示すブロック図である。
【００２１】図１において、ショートメッセージ処理モジュール（ＳＨＭ）１は呼接続、メッセージおよびＡＣＫの記憶その他伝送制御を行うモジュールであり、移動通信網内交換機２と移動網３Ａ，３Ｂで構成される移動通信網における移動網３Ａ，３Ｂの上位に設けられている。移動網３Ａ，３Ｂには、無線回線を介して移動端末４Ａ，４Ｂが接続されている。
【００２２】一方、移動通信網用の関門交換機５には、固定通信網用の関門交換機６Ａ，６Ｂ，６Ｃと一般電話網８、パケット網９、ＩＳＤＮ網１０からなる固定通信網が接続されている。関門交換機６Ａ，６Ｂ，６Ｃは、それぞれ接続されている網間のインタフェースを司る。一般電話網８、パケット網９、ＩＳＤＮ網１０には、有線回線を介して端末１１Ａ，１１Ｂ，１１Ｃがそれぞれが接続されている。」（公報５欄３１〜４８行）
　
ロ）「【００２３】図３は、本実施例における移動端末の構成を示すブロック図である。この移動端末は、アンテナ１２、送受分配回路１３、復調回路１４、復号回路１５、変調回路１６、符号化回路１７、表示部および入力部１８、制御回路１９、メッセージ記憶メモリ２０、メッセージ記憶メモリ空き領域検出回路２１、メッセージ記憶メモリ空き容量報告信号生成回路２２および送信信号生成回路２３によって構成される。
【００２４】アンテナ１２は送受分配回路１３に接続され、この送受分配回路１３で送信信号と受信信号とが分配される。送受分配回路１３により分配された受信信号は、復調回路１４に導かれて復調された後、復号回路１５により復号される。一方、送信信号生成回路２３によって生成された送信信号は符号化回路１７で符号化され、さらに変調回路１６で変調された後、送受分配回路１３に入力される。
【００２５】表示部および入力部１８は、ユーザと移動端末とのマンマシンインタフェースを司る部分であり、到着したメッセージ信号のメッセージ内容の表示と、ユーザによるメッセージ内容の入力および着信端末の呼出番号の入力等を行うためのものである。移動端末全体は、制御回路１９により制御される。また、送受信されるメッセージ信号のメッセージ内容や、ＡＣＫ信号はメッセージ記憶メモリ２０で全て記憶される。メッセージ記憶メモリ２０に記憶されたメッセージ内容は、ユーザによって読み出されると制御回路１９からの制御によって消去されるようになっている。」（公報５欄４９行〜６欄２５行）
　
ハ）「【００３１】図６に、網−ＳＨＭ１−網間で授受される信号（以下、ＳＨＭ網間信号という）の信号構成を示す。全てのＳＨＭ網間信号には、ルーチング情報５０、信号種別５１および呼番号５２が含まれている。ルーチング情報５０は、信号を網間でルーチングする際に用いられる。信号種別５１は、網間を伝送する信号を識別するために用いられる。呼番号５２は、網間で呼を識別するために用いられる。
【００３２】各信号におけるその他の信号構成について述べる。起動信号は、着番号４２、サービス種別４３および終端識別４４で構成される。起動完了信号は、他の信号構成要素を含まない。応答信号１は、メッセージ記憶メモリ空き容量４５および終端識別４４で構成される。応答信号２は、終端識別４４で構成される。メッセージ信号は、メッセージ部４６で構成される。ＡＣＫ信号は、メッセージ記憶メモリ空き容量４５で構成される。切断信号は、理由表示４７で構成される。解放信号は、他の信号構成要素を含まない。」（公報７欄３４行〜８欄１行）
　
ニ）「【００３５】ユーザが発信端末に対してメッセージ内容と着信端末の呼出信号を入力して発信を命令すると、発信端末は発信信号を構成して送信する。…
【００３７】発信端末は、応答信号２を受信すると、メッセージ内容を含むメッセージ信号ａ，ｂ，ｃを発側網およびＳＨＭ１に対して送出する。…
【００３９】メッセージ信号ａを受信した着信端末は、そのメッセージ内容を記憶表示し、ユーザに対してメッセージを受信したことを通知する…
【００４０】以後、メッセージ信号ｂおよびｃの送信はメッセージ信号ａの送信と同様に行い、ＳＨＭ１は該着信端末に対するメッセージ伝送が全て完了すると、着側網および着信端末に対して切断信号を送出する。」（公報８欄８行〜９欄１９行）
　
ホ）図５には、「発信／着信信号」が「着番号４２」を含むことが記載されている。
　
　これらの記載によれば、刊行物１には、次の発明（以下、「刊行物１記載の発明」という。）が記載されているものと認められる。
　
　「アンテナ１２、送受分配回路１３、復調回路１４、復号回路１５、変調回路１６、符号化回路１７と、到着したメッセージ信号のメッセージ内容の表示と、ユーザによるメッセージ内容の入力および着信端末の呼出番号の入力等を行う表示部および入力部１８と、送受信されるメッセージ信号のメッセージ内容や、ＡＣＫ信号を全て記憶するメッセージ記憶メモリ２０と、移動端末全体を制御する制御回路１９によって構成される移動端末４Ａ，４Ｂが無線回線を介して移動網３Ａ，３Ｂに接続され、ショートメッセージ処理モジュール（ＳＨＭ）１が移動通信網内交換機２と移動網３Ａ，３Ｂで構成される移動通信網における移動網３Ａ，３Ｂの上位に設けられ、移動通信網用の関門交換機５には、固定通信網用の関門交換機６Ａ，６Ｂ，６Ｃと一般電話網８、パケット網９、ＩＳＤＮ網１０からなる固定通信網が接続され、移動通信網を介してショートメッセージ通信サービスを行うメッセージ通信システムにおいて、
　ユーザが発信端末に対してメッセージ内容と着信端末の呼出信号を入力して発信を命令すると、発信端末は着番号４２を含む発信信号を構成して送信し、応答信号２を受信すると、メッセージ内容を含むメッセージ信号ａ，ｂ，ｃを送出し、メッセージ信号ａを受信した着信端末は、そのメッセージ内容を記憶表示し、ユーザに対してメッセージを受信したことを通知し、メッセージ記憶メモリ２０に記憶されたメッセージ内容がユーザによって読み出されるメッセージ通信システム。」
　
　また、当審における拒絶の理由で引用された、本願出願前に頒布された特開平０７−１７０５５２号公報（平成７年７月４日出願公開、以下、「刊行物２」という。）には、次のような記載がある。
　
イ）「【０００２】　　　　　　　　　　　　　　　　　　　　　
【従来の技術】従来から、外出中の所在不明者と連絡をとる方法として、一般加入電話から外出者の携帯する受信機の番号をダイヤルすることにより、受信機のベルを鳴音させて用件のあることを知らせることができるページングシステムなど…で使用される…メッセージデータを受信するメッセージデータ受信装置が提案されている。」（公報１欄３２〜４０行）
　
ロ）「【０００５】
【発明の目的】本発明は、上述の従来の問題点に鑑みなされたもので、メッセージデータ中に時刻データが入ったものと時刻データの入っていないものとを簡単な操作で区別して知ることが出来るだけでなく、時刻データを含むメッセージデータを時刻順に知ることが出来るようにし、更に時刻データが入っていない明日とか今日のような日付を示す用語を含むメッセージデータをも、日付順に知ることができるようにしたメッセージデータ受信装置を提供するものである。」（公報２欄１３〜２２行）
　
ハ）「【０００８】図２は本実施例のメッセージデータ受信装置の回路構成を示すもので、アンテナ９から受信したメッセージ信号は受信回路１０に供給される。受信回路１０及び後述の受信制御回路１１には電源電池１６から電源スイッチ６を介して電源が供給され、その他の部分には常に電源が供給される。受信回路１０の出力は受信制御回路１１に供給される。受信制御回路１１には発振器１４からの発振波形に基づいてタイミング信号発生回路１３で発生した制御タイミング信号が供給され、入力同期、誤り訂正、メッセージデータの受信、直列−並列変換、メッセージデータ出力等が行われる。また、ＩＤ−ＲＯＭ１２からのＩＤに基づいて、呼出検出なども行われる。…またＣＰＵ１９の出力はブザー駆動回路２１を通してスピーカ２２から警報等を放音し、更にＬＣＤ等の表示手段２には表示バッファ２３と表示ドライバ２４を介して受信した各種メッセージデータを表示する。
【０００９】図３は上述の記憶手段のＲＡＭ２０の記憶領域を示すもので…アドレスポインタＮ1 〜Ｎ50で示すメッセージ記憶領域はそれぞれメッセージ部２５、日付部２６、時刻部２７を有し、受信したメッセージデータが格納される。」（公報２欄４２行〜３欄２５行）
　
ニ）「【００１１】先ず、第２ステップＳＴ2 に示すように着信があって受信割込みがあると、図２のＲＡＭ２０のモードカウンタＬは第３ステップＳＴ3 に示すようにＬ＝０となって強制的に受信処理状態となる。次にＣＰＵ１９はブザー駆動回路２１を介してスピーカ２２から受信報知音を例えば８秒間放音させる放音処理（第４ステップＳＴ4 ）が行う。次に第５ステップＳＴ5 ではメッセージデータの取り込みが行われＲＡＭ２０にメッセージデータを格納する。次に第６ステップＳＴ6 で示すように表示処理が行われる。この表示処理は表示バッファ２３にメッセージデータを転送させる処理であり、表示バッファ２３に転送されたメッセージデータは表示ドライバ２４を介して表示手段２に表示される。
【００１２】また、第７ステップＳＴ7 に示す計時割込みは日付、時刻の更新等を行うためのもので、図２に示すタイミング信号発生回路１３から計時信号は出力され、ステップＳＴ8 で、ＣＰＵ１９を介して図３のＮ0 に格納されている日時データを更新して再格納する計時処理が実行される。次に第９ステップＳＴ9 に示す一致検出処理が行われる。この第９ステップＳＴ9 は図３に示したＣＰＵ１９のＲＡＭ２０の記憶領域に格納されている複数のメッセージデータの年月日、時刻と現在の年月日、時刻との一致を検出する。この一致検出処理を図５によって詳記する。…第９の４ステップＳＴ9-4 で時刻データが一致したか否かを判断する。“ＮＯ”であればエンドに至るが、“ＹＥＳ”であれば第９の５ステップＳＴＰ9-5 で受信音とは異なる報音処理をスピーカ２２から行い図４にも示されている表示処理（第１０ステップＳＴ10）で図３に示すＰに指定されているメッセージエリアデータを表示手段２に表示する。」（公報３欄３３行〜４欄２４行）
　
　これらの記載によれば、刊行物２には、次の発明（以下、「刊行物２記載の発明」という。）が記載されているものと認められる。
　
　「一般加入電話で日時情報を含むメッセージデータをメッセージデータ受信装置に送信し、アンテナ９から受信したメッセージ信号からＩＤ−ＲＯＭ１２からのＩＤに基づく呼出検出やメッセージデータの取り込みを行いＲＡＭ２０にメッセージデータを格納し、ＲＡＭ２０に格納されている複数のメッセージデータの年月日、時刻と現在の年月日、時刻との一致を検出したとき、受信音とは異なる報音処理を行い次の表示処理で表示手段２にメッセージエリアデータを表示するメッセージデータ受信装置。」
　
　さらに、当審における拒絶の理由で引用された、本願出願前に頒布された特開昭６１−０５９９２４号公報（昭和６１年３月２７日出願公開、以下、「刊行物３」という。）には、「個別選択呼出受信機」について次のような記載がある。
　
イ）「ブザー６により受信があることが知らされ、かつ表示器４にはメッセージの文字数、発呼先、“メッセージ”の文字が表示される…
　この場合ステップ５５でスクロール指示が行われた場合はステップ５６を経て…メッセージ内容の文字の順次読みだしが行われる」（４頁右下欄１３〜２０行）
　
ロ）「ステップ９０でスクロール・スイッチＯＮが検出されると…メッセージの先頭の１６文字が表示器４に表示される。なお受信データの表示処理に於けるステップ５０からの動作もこのステップ９０に接続される。」（公報６頁右上欄２〜８行）
　
　この刊行物３等により「メッセージを受信していることを知らせる受信メッセージ通知表示を表示部に表示し、続いてキー入力部の操作で受信メッセージの表示を選択したとき、該表示部にメッセージを表示する受信メッセージ出力処理部」が周知であると認められる。　
　
３．本願発明と刊行物記載の発明との比較
　
　刊行物１記載の発明の「アンテナ１２、送受分配回路１３、復調回路１４、復号回路１５、変調回路１６、符号化回路１７」、「表示部および入力部１８」、「メッセージ記憶メモリ２０」、「制御回路１９」、「無線区間」、「移動通信網内交換機２」、「ショートメッセージ処理モジュールＳＨＭ」、「メッセージ内容」、「着番号４２」、「ユーザに対してメッセージを受信したことを通知」は、それぞれ、本願発明の「メッセージデータの送受信部」、「メッセージデータのキー入力部と、メッセージデータの表示部」、「メッセージデータを記憶するメッセージメモリ」、「前記の各部を制御する制御部」、「無線回線」、「交換局」、「メッセージサービスセンタ」、「送信メッセージ」、「呼び出し番号」、「メッセージを受信していることを知らせる受信メッセージ通知表示」に相当している。
　また、本願発明の「無線電話装置」は、本願明細書に「無線回線を介して接続される無線電話装置３，…からなる移動端末」（【００１１】）と説明されていることから、刊行物１記載の発明の「移動端末」、「発信端末」、「着信端末」と本願発明の「無線電話装置」、「発信者の無線電話装置」、「着信者の無線電話装置」とは、それぞれ「移動端末」、「発信移動端末」、「着信移動端末」という点で一致し、本願発明の「無線電話システム」は、本願明細書に「移動通信網を介するメッセージ通信サービスを行う無線電話システム」（【００１０】）と説明されていることから、刊行物１記載の発明の「移動通信網を介してショートメッセージ通信サービスを行うメッセージ通信システム」と本願発明の「無線電話システム」とは、どちらも「移動通信網を介してメッセージ通信サービスを行う移動通信システム」という点で一致する。
　さらに、刊行物１記載の発明の「着番号４２を含む発信信号」と「メッセージ信号ａ，ｂ，ｃ」とを合わせたものと本願発明の「送信メッセージと該送信メッセージを出力する日時情報と呼び出し番号とを含む発信者情報」とは、どちらも「送信メッセージと呼び出し番号とを含む発信者情報」である点で一致するから、本願発明と刊行物１記載の発明とは、以下の点で一致ないし相違する。
　
（１）一致点
　
　　メッセージデータの送受信部と、メッセージデータのキー入力部と、メッセージデータの表示部と、メッセージデータを記憶するメッセージメモリと、前記の各部を制御する制御部とを有する移動端末が、無線回線を介して交換局及びメッセージサービスセンタに接続され、移動通信網を介してメッセージ通信サービスを行う移動通信システムにおいて、一人の発信移動端末で送信メッセージと呼び出し番号とを含む発信者情報を受信移動端末に送信し、該発信者情報を受信した着信移動端末では、メッセージを受信していることを知らせる受信メッセージ通知表示を前記表示部に表示し、該表示部にメッセージを表示する移動通信システムである点。
　
（２）相違点
　
相違点１
　移動端末や移動通信システムが、本願発明では、それぞれ無線電話装置や無線電話システムであるのに対して、刊行物１記載の発明では、そのようなものであることが明らかでない点。
　
相違点２
　本願発明では、発信者情報に送信メッセージを出力する日時情報も含め、該発信者情報を受信した受信者の無線電話装置では、該無線電話装置に備える時計部から出力される現在の日時情報と前記受信した日時情報とを、受信メッセージ日時判断部で比較し日時に到達したときには、受信メッセージ出力処理部がメッセージを受信していることを知らせる受信メッセージ通知表示を前記表示部に表示し、続いて前記キー入力部の操作で受信メッセージの表示を選択したとき、該表示部にメッセージを表示するのに対して、刊行物１記載の発明では、受信メッセージ通知表示やメッセージ表示を行うが、発信者情報に送信メッセージを出力する日時情報を含めておらず、前記日時情報の日時において受信メッセージ通知表示やメッセージ表示をしていない点。
　
４．相違点の検討
　
（１）相違点１について　
　
　「ショートメッセージ通信」が自動車電話や携帯電話などの無線電話システムや無線電話装置に付加される通信サービスの一つであることは、本願出願前に周知であるから（必要ならば、電子情報通信学会技術研究報告［無線通信システム］のＲＣＳ９２−１１６「ディジタル移動ショートメッセージ通信方式」（信学技報Ｖｏｌ．９２、Ｎｏ．４１２、Ｐ．１−６、１９９３年１月２１日発行）の２頁左欄１６〜１８行の「デジタル方式自動車電話システム標準規格（ＲＣＲ標準）との整合性を図ったショートメッセージ通信」や５頁右欄１５〜１６行の「ショートメッセージ移動機は音声通信との共用を予定」、特開平０３−１０１３２４号公報の１頁右下欄８〜９行の「自動車電話や携帯電話などの移動電話において、ショートメッセージの伝送機能を持つものがある。」、特開平０９−０１８３７５号公報の２欄１１〜１４行の「短い文章（以下ショートメッセージという）を送受信することのできる電子メールが普及するようになると、同様の機能が携帯電話機にも求められるようになってきている。」参照）、刊行物１記載の発明の移動通信網を介してショートメッセージ通信サービスを行うメッセージ通信システムや移動端末を、自動車電話や携帯電話などの無線電話システムや無線電話装置に付加してショートメッセージ通信を行うことに、格別の困難性はない。
　
（２）相違点２について
　
　刊行物２記載の発明の「日時情報を含むメッセージデータ」、「メッセージデータの年月日、時刻と現在の年月日、時刻との一致を検出したとき」、「報音処理」、「表示手段２」、「表示手段２にメッセージエリアデータを表示」は、それぞれ、本願発明の「送信メッセージと該送信メッセージを出力する日時情報」、「現在の日時情報と受信した日時情報とを比較し、日時に到達したとき」、「受信メッセージ通知」、「表示部」、「表示部にメッセージを表示」に相当し、刊行物２記載の発明の「メッセージデータ受信装置」と本願発明の「受信者の無線電話装置」とは、「受信移動端末」という点で一致している。
　また、刊行物２記載の発明の「日時情報を含むメッセージデータ」にはメッセージデータ受信装置を呼び出すためのＩＤ、つまり本願発明の「呼び出し番号」に相当するものが含まれていることは技術常識から明らかであるから、刊行物２記載の発明の「日時情報を含むメッセージデータ」は本願発明の「送信メッセージと該送信メッセージを出力する日時情報と呼び出し番号とを含む発信者情報」に相当している。
　つまり、刊行物２記載の発明は、送信メッセージと該送信メッセージを出力する日時情報と呼び出し番号とを含む発信者情報を受信移動端末に送信し、時計部から出力される現在の日時情報と受信した日時情報とを比較し、前記日時に到達したとき、受信メッセージ通知に続いて表示部にメッセージを表示する受信移動端末であると認められる。
　したがって、刊行物１記載の発明の発信者情報に刊行物２のように日時情報も含め、該発信者情報を受信した受信移動端末では、該受信移動端末に備える時計部から出力される現在の日時情報と前記受信した日時情報とを比較し、日時に到達したときには、受信メッセージ通知に続いて表示部にメッセージを表示することは、当業者であれば容易になし得ることである。
　そして、この受信メッセージ通知とメッセージの表示を、刊行物３等により周知の受信メッセージ出力処理部を用いて行い、受信メッセージ通知表示を表示部に表示し、続いてキー入力部の操作で受信メッセージの表示を選択したとき、該表示部にメッセージを表示することは、当業者であれば適宜なし得る設計的事項にすぎない。
　
５．むすび
　
　したがって、本願発明は、刊行物１記載の発明、刊行物２記載の発明及び上記各周知技術に基づいて当業者が容易に発明をすることができたものと認められるから特許法第２９条第２項の規定によって特許を受けることができない。
　よって、結論のとおり審決する。